(57)【要約】【課題】広角な範囲の照度を均一にすることができる照明装置を提供する。【解決手段】本発明の照明装置は、導光板の入光部から入射した光を、導光板に形成された凹状反射部で反射させて出射面から出射させ、導光板から出射された光を、レンズ部材を介して出射する照明装置であって、導光板の出射面の対向部に形成された凹状反射部が、円錐形状の凹状反射部１７ｘと半円錐形状の凹状反射部１７ｙで構成されている。【選択図】図６
2019016567.tif 000002
【特許請求の範囲】
【請求項１】
複数の発光素子と、
入光部を介して前記発光素子からの光を入射し、入射した光を内部に伝搬させ出射面から出射する導光板と、
前記導光板から出射された光の出射方向を制御するためのレンズ部材を備え、
前記導光板の出射面に対向する面に複数の凹状反射部が配置され、
前記レンズ部材には前記凹状反射部に対応した複数のレンズが形成され、
前記凹状反射部の一部が半円錐形状である、
照明装置。
【請求項２】
前記半円錐形状の凹状反射部の傾斜曲面部が最も近い前記発光素子の方向に向いていることを特徴とする、
請求項１記載の照明装置。
【請求項３】
前記導光板は、出射面が曲線を軸回転して形成した曲面であり、前記入光部が環状に形成され、
複数の前記発光素子が前記導光板の前記入光部に対応して環状に配置されていることを特徴とする、
請求項１または２記載の照明装置。
【請求項４】
前記凹状反射部に最も近い前記発光素子との距離とその対向側に位置する前記発光素子との距離の比率が、小さい箇所では前記凹状反射部は半円錐形状であり、その他の箇所では前記凹状反射部は円錐形状であり、その比率の境界が１／４以上から１／２以下であることを特徴とする、請求項１記載の照明装置。
【請求項５】
請求項１から請求項４の何れかに記載の照明装置と、画像を撮影するカメラを、フレームに取り付けた、画像撮影装置。
【発明の詳細な説明】
【技術分野】
【０００１】
本発明は、広角範囲で照度分布が均一な照明装置に関する。
【背景技術】
【０００２】
特許文献１ないし４は照明装置を開示する。例えば、特許文献１は、複数の発光素子と、複数の発光素子から出射した光を板内において導光する導光板と、導光板の主面の少なくとも一部を覆うレンズアレイとを備える照明装置を開示する。その照明装置において、導光板は複数の凹状反射部を有し、レンズアレイは、各凹状反射部と対向関係を保って配置された複数のレンズ部を有する。このような照明装置においては、導光板に入射した光は、導光板を伝搬中に、導光板内の凹状反射部で反射され、レンズアレイに出射される。レンズアレイにおいて、導光板から入射した光は、レンズ部により集光されて照明光として出射される。
【先行技術文献】
【特許文献】
【０００３】
【特許文献１】特開２０１４−１６５０２１号公報
【特許文献２】特開２０１４−１６０６１６号公報
【特許文献３】特開２０１４−１５４３９３号公報
【特許文献４】特開２０１４−１５４３２１号公報
【発明の概要】
【発明が解決しようとする課題】
【０００４】
特許文献１ないし４に開示された照明装置は、導光板内の凹状反射部の形状が円錐形状をしており、前記円錐状の凹状反射部で反射され、前記円錐状の凹状反射部に対向するレンズから出射する光は前記円錐状の凹状反射部の径が大きいほど出射効率が高くなるが、前記円錐状の出射面積が広くなることにより、配光角度が広くなり、ピーク照度があまり高くならないといった問題がある。
【０００５】
本発明は、照明光の出射効率が高く、かつ指向性が高い光線を提供することを目的とする。
【課題を解決するための手段】
【０００６】
本発明の照明装置は、複数の発光素子と、入光部を介して前記発光素子からの光を入射し、入射した光を内部に伝搬させ出射面から出射する導光板と、前記導光板から出射された光の出射方向を制御するためのレンズ部材を備え、前記導光板の出射面に対向する面に複数の凹状反射部が配置され、前記レンズ部材には前記凹状反射部に対応した複数のレンズが形成され、前記凹状反射部の一部が半円錐形状である、ことを特徴とする。
【発明の効果】
【０００７】
この構成によれば、導光板の半円錐形状の凹状反射部により出射され、前記半円錐形状の凹状反射部に対向したレンズにより集光される光の配光を狭くすることが可能となり、出射効率が高く、かつ指向性が高い配光特性を有する照明装置を実現できる。
【図面の簡単な説明】
【０００８】
【図１】本実施形態における照明装置の外観図
【図２】照明装置の断面図
【図３】照明装置の構成要素を示す展開図
【図４】（ａ）レンズ部材の斜視図と、（ｂ）導光板の斜視図
【図５】導光板の凹状反射部による光の反射を説明した図
【図６】（ａ）本実施形態における照明装置の部分断面図と、（ｂ）導光板の内面に形成された円錐形状凹状反射部１７ｘを導光板の外面から見た拡大図と、（ｃ）導光板の内面に形成された半円錐形状凹状反射部１７ｙを導光板の外面から見た拡大図と、（ｄ）本実施形態における導光板を裏から見た部分図
【図７】（ａ）微細な円錐形状凹状反射部から放射される光の放射方向示す図と（ｂ）大きな円錐形状凹状反射部から放射される光の放射方向を示す図
【図８】半円錐形状凹状反射部から放射される光の放射方向を示す図
【図９】円錐形状凹状反射部と半円錐形状凹状反射部でのレンズ部から放射される光の配光パターンの違いを示す図で、（ａ）ＬＥＤ素子２１ａと２１ｂの距離がほぼ等距離に配置された円錐形状凹状反射部においてレンズ部から放射される光の配光パターンを示す図、（ｂ）ＬＥＤ素子２１ａに近い位置に配置された円錐形状凹状反射部においてレンズ部から放射される光の配光パターンを示す図、（ｃ）ＬＥＤ素子２１ａに近い位置に配置された半円錐形状凹状反射部において、レンズ部から放射される光の配光パターンを示す図
【図１０】円錐形状凹状反射部だけで構成された場合と半円錐形状凹状反射部が用いられて場合の配光特性の比較図
【図１１】円錐形状凹状反射部だけで構成された場合と半円錐形状凹状反射部が用いられた場合の照明装置から１ｍの距離での照度分布の比較を示すグラフ
【図１２】実施の形態１の照明装置を備えた水中画像撮影装置の外観図
【発明を実施するための形態】
【０００９】
以下、本発明の実施の形態を図面に基づいて説明する。
【００１０】
但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって特許請求の範囲に記載の主題を限定することを意図するものではない。
【００１２】
画像撮影のための照明装置においては、撮影画角範囲の照度分布が均一であることが望まれる。通常の照明装置の配光特性は光度の角度特性が cosθとなるランバート配光を示すが、照度が距離の二乗に反比例するために、広角画像撮影に用いられる照明装置は中央照度よりも画角端部の照度を高くする必要がある。例えば、画角端部の方位が４５度である場合、中央部に対する画角端部の照明装置からの距離は√２であるため、必要な光度は中央部の２倍となる。
【００１３】
本発明者は上記条件を満足させるために、複数の発光素子と、入光部を介して前記発光素子からの光を入射し、入射した光を内部に伝搬させ出射面から出射する導光板と、前記導光板から出射された光の出射方向を制御するためのレンズ部材を備え、前記導光板の出射面に対向する面に、複数の凹状反射部が配置され、前記レンズ部材には前記凹状反射部のそれぞれに対応した複数のレンズ形状部が形成された照明装置を考案し、前記導光板の外周部の凹状反射部の面積を中央部の凹状反射部の面積よりも広くなるように設計したが、画角端部に照射される光の配光角度が広くなることにより、撮影画角範囲外の領域に照射される光量が大きくなり、大容量の光源が必要となった。そこで本発明者は、撮影画角範囲外の領域に照射される光量が少なくなる照明装置を検討し、以下の照明装置を完成した。
【００１４】
以下、本発明の各実施の形態を図面に基づいて説明する。
【００１５】
（実施の形態１）
−  構  成  −
図１は実施の形態１の照明装置の斜視図である。図２は照明装置の中心を通る面で切断した断面図で、図２（ａ）はやや斜め上から見たときの断面図、図２（ｂ）は真横から見たときの断面図である。図３は照明装置の展開図である。
【００１６】
照明装置１０は、有底形状のベース部２５と、このベース部２５の収納凹部２５ａの開口部をドーム状のカバー１１で覆って、防塵、防水機能を果たすように密閉空間を形成し、この密閉空間にＬＥＤ基板２３と、反射板１９と、導光板１７と、レンズ部材１５と、押え板１３を収容して構成されている。詳しくは、この密閉空間内においては、ＬＥＤ基板２３の上に反射板１９が配置され、その上に導光板１７が配置され、導光板１７の上にレンズ部材１５が配置される。レンズ部材１５からＬＥＤ基板２３は、押え板１３を貫通するネジ１３ａによりベース部２５に取り付けられている。
【００１７】
ＬＥＤ基板２３から出射した光は、ドーム形状の導光板１７の端部から導光板１７の内部に入射し、導光板１７の内部を反射しながら進んで、導光板１７の内面に形成された凹状反射部で導光板１７の外面に向かって反射され、導光板１７から出射された光の出射方向を制御するレンズ部材としてのドーム形状のレンズ部材１５を通過して、さらにカバー１１を通過して照明装置１０の外部に照射される。反射板１９は、導光板１７の内部を進行する光が導光板１７の底面側表面から外部に漏れ出たときに、その光を反射して導光板１７内に再度入射させるための部材である。ここで導光板１７，レンズ部材１５のドーム形状とは、出射面が曲線を軸回転して形成した曲面である。導光板１７の入光部は環状に形成されている。
【００１８】
図３に示すようにＬＥＤ基板２３上には、発光素子である複数個のＬＥＤ素子２１が配置されている。本例では、合計３０個のＬＥＤ素子２１を等ピッチで環状に配置している。導光板１７は、ＰＭＭＡ（Poly・Methyl Methacrylate）、ＰＣ（Poly Carbonate）等の透明な材料で形成される。レンズ部材１５、カバー１１も材質は導光板１７と同様である。
【００１９】
図４（ｂ）は、導光板１７を斜め下方から見た図である。
【００２０】
ドーム形状の導光板１７は、その周縁部（円環状の端部）を入光部とし、その入光部からＬＥＤ素子２１からの光を導光板１７内部に入射させる。導光板１７は、ＬＥＤ素子２１からの光をその内部を伝搬させ、出射面（レンズ部材１５側の主面）から出射する。
【００２１】
図４（ａ）は、レンズ部材１５を斜め上方から見た図である。レンズ部材１５は、導光板１７から出射した光を入射し、出射面（カバー１１に対応する側の主面）から出射する。図５は、導光板１７と、その上に配置されたレンズ部材１５の断面図である。
【００２２】
ドーム形状の導光板１７は、その周縁部（円環状の端部）を入光部とし、その入光部からＬＥＤ素子２１からの光を導光板１７内部に入射させ、その光をその内部を伝搬させ、出射面（レンズ部材１５側の主面）から出射する。図４（ｂ）及び図５に示すように導光板１７には、内部を伝搬した光を出射面に反射させるために、その内面（反射板１９側）に円錐形状凹状反射部１７ｘ、半円錐形状凹状反射部１７ｙが複数形成されている。
【００２３】
レンズ部材１５の出射面側には、図４（ａ）及び図５に示すように、複数のレンズ１５ａが形成されている。レンズ１５ａは、レンズ部材１５の頂点を中心として同心円状に配置されている。導光板１７からレンズ部材１５に入射した光は、レンズ１５ａにより光路が変更され、出射光として出射される。
【００２４】
導光板１７の円錐形状凹状反射部１７ｘ、半円錐形状凹状反射部１７ｙは、レンズ部材１５のレンズ１５ａに対応した位置に形成されている。例えば、円錐形状凹状反射部１７ｘ、あるいは半円錐形状凹状反射部１７ｙの中心軸と、レンズ部材１５内の対応するレンズ１５ａの中心軸とが所定の位置関係を満たすような位置に、円錐形状凹状反射部１７ｘ、あるいは半円錐形状凹状反射部１７ｙが配置される。
【００２５】
導光板１７に入射した光は、導光板１７板内を伝搬し、この円錐形状凹状反射部１７ｘ、あるいは半円錐形状凹状反射部１７ｙに入射すると、円錐形状凹状反射部１７ｘ、あるいは半円錐形状凹状反射部１７ｙによってレンズ部材１５側に反射される（図５参照）。円錐形状凹状反射部１７ｘ、あるいは半円錐形状凹状反射部１７ｙにより反射されレンズ部材１５に入射した光は、レンズ１５ａによって進行方向が変更されてレンズ部材１５の出射面から出射する。
【００２６】
導光板１７の内部を進行する光が導光板１７の底面側表面から外部に漏れ出たときに、その光を反射して導光板１７内に再度入射させる反射板１９は、高い反射率（例えば、９７〜９８％）を有する材料で形成される。
【００２７】
図６（ａ）は、本実施形態における照明装置における光学ユニット構成部の部分断面図であり、図６（ｄ）はその導光板を裏から見た部分図である。導光板１７の内面でＬＥＤ素子２１に近い付近１７ｙｙには半円錐形状凹状反射部１７ｙが配置され、ドーム状導光板１７の中央付近１７ｘｘには円錐形状凹状反射部１７ｘが配置されている。
【００２８】
−  動  作  −
以上のように構成される照明装置１０の動作を説明する。
【００２９】
最初に、ＬＥＤ素子２１からの光が導光板１７及びレンズ部材１５により照明光に変換され、出力される際の動作を説明する。
【００３０】
ＬＥＤ基板２３に配置されたＬＥＤ素子２１からの光は、導光板１７の周縁の入光部から導光板１７内に入射される。図７（ａ）は導光板１７の周縁の入光部から導光板１７内に入射され、導光板内を導光してきた光線２０ａ，２０ｂが微細な円錐形状凹状反射部１７ｘを通過する場合の光線２０ａ，２０ｂの進路を示した図である。
【００３１】
ここで光線２０ａは円錐形状凹状反射部１７ｘから比較的近い付近にあるＬＥＤ素子２１ａから放射された光であり、光線２０ｂはＬＥＤ素子２１ａの対面側に配置されたＬＥＤ素子２１ｂより照射された光である。光線２０ａ，２０ｂは共に円錐形状凹状反射部１７ｘで全反射し、方向を変えて導光板１７から放射され、レンズ１５ａを通過することにより方向が制御されてレンズ１５ａから放射される。円錐形状凹状反射部１７ｘの投影面積は極めて狭いためにレンズ１５ａから放射される光の配光も極めて狭く、コヒーレントな光となって目標面を照射する。
【００３２】
図７（ｂ）は、導光板内を導光してきた光線２０ａ，２０ｂが比較的大きな円錐形状凹状反射部１７ｘを通過する場合の光線２０ａ，２０ｂの進路を示した図である。光線２０ａ，２０ｂは共に円錐形状凹状反射部１７ｘで全反射し、方向を変えて導光板１７から放射され、レンズ１５ａを通過することにより方向が制御されてレンズ１５ａから放射される。この場合、円錐形状凹状反射部１７ｘの投影面積は比較的広いため、放射される光のエネルギーは比較的高くなるが、レンズ１５ａに入射する光の焦点深度が大きくなるため、レンズ１５ａから放射される光の配光が広くなる。そのため、光の集光性が悪くなり、目標とする照射面以外に多くの光が照射される。そのため、目標照射領域への光の照射効率が悪くなる。
【００３３】
広い照射領域に照射される光の照度を均一にしようとした場合、照明装置から放射される光の配光特性は図１０に示すような照射領域端部の光度を最も高くする必要がある。照度は距離の二乗に反比例し、光軸と照射面の角度がθとなる場合の照度正面の場合のcosθ倍となる。したがって、照射範囲全域の照度を均一にするためには、照射領域端部の光度は正面の光度の１／（cosθ）３倍である必要がある。例えば、１ｍの距離から照射幅１．６ｍの照射面を均一照度で照射するためには、照射領域端部の光度は正面の光度の約２倍となる。
【００３４】
本例の照明装置では照射領域端部を照射するためのレンズ１５ａは光源に最も近い位置に配置され、それに対向する円錐形状凹状反射部１７ｘの直径は正面を照射するための導光板中央に配置された円錐形状凹状反射部１７ｘの直径の約３０倍となる。そのため、端部のレンズ１５ａより照射された光の配光はかなり大きくなり、照射領域外の照度もかなり高くなっていた。
【００３５】
図８は導光板１７の凹状反射部の形状が円錐を半分に切った形の半円錐であった場合の光線の進路を示したものである。光線２０ａは半円錐形状凹状反射部１７ｙの傾斜曲面部で全反射し、方向を変えて導光板１７から放射され、レンズ１５ａを通過することにより方向が制御されてレンズ１５ａから放射される。それに対し、光線２０ｂは半円錐形状凹状反射部１７ｙの垂直面を通過して、導光板１７に再入射し、レンズ１５ａより照射されることは無い。
【００３６】
図９にて本実施例での動作を詳細に説明する。
【００３７】
本実施例では、導光板１７の中央付近に円錐形状凹状反射部１７ｘを配置し、周辺部に半円錐形状凹状反射部１７ｙを配置している。これを説明するために、図９（ａ）では導光板１７の中央付近に形成した円錐形状凹状反射部１７ｘの配光パターンを説明する。次に図９（ｂ）では導光板１７の周辺部に半円錐形状凹状反射部１７ｙではなくて円錐形状凹状反射部１７ｘを配置した場合の配光パターンを説明する。最後に図９（ｃ）では導光板１７の周辺部に半円錐形状凹状反射部１７ｙを配置した場合の配光パターンを説明する。
【００３８】
導光板１７の中央付近に形成した円錐形状凹状反射部１７ｘの配光パターンは、図９（ａ）に示したように中央部が少し凹んだ左右均等な形となる。これはＬＥＤ素子２１ａ、２１ｂから放射された光線２０ａ、２０ｂが導光板１７の中心部に形成された円錐形状凹状反射部１７ｘに当たり、方向を変えて導光板１７から放射され、レンズ１５により出射される。円錐形状凹状反射部１７ｘはＬＥＤ素子２１ａ，２１ｂのそれぞれに対してほぼ均等な距離にあるため、配光特性は中央部が少し凹んだ左右均等な形となるものである。
【００３９】
それに対し、図９（ｂ）に示すようにＬＥＤ素子２１ａの近くに円錐形状凹状反射部１７ｘが配置されている場合、ＬＥＤ素子２１ａから放射された光線２０ａは円錐形状凹状反射部１７ｘに当たり、レンズ１５ａから出射される光は配光特性の左側の光度の高い凸部２２ａを形成し、円錐形状凹状反射部１７ｘから遠い２１ｂから放射された光線２０ｂが円錐形状凹状反射部１７ｘに当たり、レンズ１５ａから出射された光は配光特性の右側の光度の低い凸部２２ｂを形成する。
【００４０】
図９（ｃ）のように、図９（ｂ）の円錐形状凹状反射部１７ｘに代わって傾斜曲面部がＬＥＤ素子２１ａに向いた半円錐形状凹状反射部１７ｙを配置すると、ＬＥＤ素子２１ａから放射された光線２０ａは半円錐形状凹状反射部１７ｙの傾斜曲面部に当たり、レンズ１５ａから出射される光は配光特性の左側の光度の高い凸部２２ａを形成する。さらに、半円錐形状凹状反射部１７ｙから遠いＬＥＤ素子２１ｂから放射された光線２０ｂは半円錐形状凹状反射部１７ｙの垂直平面を通過し、レンズ１５ａ側に放射されることなく、ＬＥＤ素子２１ａに向かう、その後ＬＥＤ基板２３で反射され、導光板１７に再入射した光線２０ｃは半円錐形状凹状反射部１７ｙの傾斜曲面部に当たり、レンズ１５ａから出射される。この光は配光特性の凸部２２ａに追加された凸部２２ｃとなり、図９（ｂ）よりも配光幅が狭く光度の高い配光特性が得られる。
【００４１】
本実施例では、導光板１７の中央付近に円錐形状凹状反射部１７ｘを配置し、周辺部に半円錐形状凹状反射部１７ｙを配置して凹状反射部を構成している。凹状反射部に最も近いＬＥＤ素子２１ａと凹状反射部の距離とＬＥＤ素子２１ａに対向の位置にあるＬＥＤ素子２１ｂと凹状反射部の距離の比率が大きい場合は、凹状反射部は半円錐形状であることが望ましく、前記比率が小さい場合、凹状反射部は円錐形状である方が出射効率が高くなるといった利点がある。導光板１７において、円錐形状凹状反射部１７ｘと半円錐形状凹状反射部１７ｙに形状を切り換える境界は、ＬＥＤ素子２１ａと凹状反射部の距離とＬＥＤ素子２１ｂと凹状反射部の距離の比率、すなわち、ＬＥＤ素子２１ａと凹状反射部の距離／ＬＥＤ素子２１ｂと凹状反射部の距離が、１／４以上から１／２以下であることが望ましい。
【００４２】
“ ＬＥＤ素子２１ａと凹状反射部の距離 ／ＬＥＤ素子２１ｂと凹状反射部の距離 ”が１／４より小さい場合は、半円錐形状凹状反射部１７ｙの割合が少なく、本発明の効果があまり期待できない。“ ＬＥＤ素子２１ａと凹状反射部の距離 ／ ＬＥＤ素子２１ｂと凹状反射部の距離 ”が１／２より大きい場合は、出射効率が低くなる可能性がある。
【００４３】
図１０は導光板１７の凹状反射部の形状が全て円錐形状凹状反射部１７ｘの場合の照明装置１０の配光特性を破線で示し、周辺部が半円錐形状凹状反射部１７ｙの場合の配光特性を実線で示したものである。全ての凹状反射部形状が円錐形状の場合（破線）と比較して、周辺部が半円錐形状の場合（実線）は照射範囲の端部の光度が高く、それより角度が大きい方向の光度は小さくなっている。
【００４４】
また、図１１は導光板１７の凹状反射部の形状が全て円錐形状の場合に照明装置１０から１ｍはなれた位置での照度分布を破線で示し、導光板１７の周辺部を半円錐形状凹状反射部１７ｙとした場合に照明装置１０から１ｍはなれた位置での照度分布を示す。±８００ｍｍの位置、すなわち照射範囲端部の照度は、全ての凹状反射部が円錐形状凹状反射部１７ｘの場合（破線）よりも周辺部が半円錐形状凹状反射部１７ｙの場合（実線）の方が、照度分布が高くなっている。
【００４５】
−  効  果  −
以上のように、実施の形態の照明装置１０によれば、照射範囲の照度分布を均一にすることができるだけでなく、照度範囲外側での照度を下げ、効率的に照度範囲を照らすことができる。
【００４６】
（実施の形態２）
図１２は、実施の形態１の照明装置１０を備えた水中画像撮影装置を示す。
【００４７】
水中画像撮影装置１００は、水中に潜水可能であり、水中を移動しながら水中の画像を撮影し、撮影した画像を記録媒体に記録することができる。
【００４８】
水中画像撮影装置１００はフレーム１０３を備え、フレーム１０３に、水中を移動するための推進手段として複数のスクリュー１０５が種々の向きに取り付けられている。さらに、フレーム１０３には、画像を撮影するための防水機能を有する複数のカメラ１１０も取り付けられている。カメラ１１０は、撮影により生成した画像データを記録媒体（例えば、メモリカード）に格納する。
【００４９】
水中画像撮影装置１００は、各スクリューの回転数を制御することで所望の方向に進むことができる。水中画像撮影装置１００は、被写体に対して照明装置１０から照明光を照射し、カメラ１１０により画像を撮影する。
【００５０】
この水中画像撮影装置１００は、照射範囲端部の照度を中央部の照度より高く出来るので、高品位な画像を撮影できる。
【００５１】
なお、本出願において開示する技術の例示として、上記の実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。また本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００５２】
本発明は、照射範囲端部の照度を中央部の照度より高くでき、種々の近接距離からの照明装置に適用できる。例えば、水中および空気中の双方の環境において使用する照明装置に適用できる。
【符号の説明】
【００５３】
１０  照明装置
１１  カバー
１５  レンズ部材
１５ａ  レンズ
１７  導光板
１７ｘ  円錐形状凹状反射部
１７ｙ  半円錐形状凹状反射部
１８  レンズからの放射光
１９  反射板
２０ａ，２０ｂ  ＬＥＤ素子からの放射光
２０ｃ  ＬＥＤ素子からの放射光２０ｂが対向面で反射した光
２１，２１ａ，２１ｂ  ＬＥＤ素子（発光素子）
２２ａ，２２ｂ，２２ｃ  配高特性における光度分布
２３  ＬＥＤ基板
２５  ベース部
１００  水中画像撮影装置
【図１】
2019016567.tif 000003
【図２】
2019016567.tif 000004
【図３】
2019016567.tif 000005
【図４】
2019016567.tif 000006
【図５】
2019016567.tif 000007
【図６】
2019016567.tif 000008
【図７】
2019016567.tif 000009
【図８】
2019016567.tif 000010
【図９】
2019016567.tif 000011
【図１０】
2019016567.tif 000012
【図１１】
2019016567.tif 000013
【図１２】
2019016567.tif 000014